(57)【要約】【課題】１台のテレビカメラで、観察、動画記録、静止画撮影を行い、適正な被検眼画像を得る。【解決手段】ステップＳ１においてアライメントが一致したところで撮影スイッチ２１を押すと、システム制御部は撮影スイッチ２１の入力を検知し、Ｓ２において観察用光源１を消灯し、Ｓ３において増幅率制御部１８の設定をＡＧＣから固定ゲインに設定する。Ｓ４において１フレーム待機し、Ｓ５において撮影用光源を発光する。Ｓ６においては、撮影用光源の光量が適正光量に達したか否かを判断し、適正光量に達するとＳ７に進み、撮影用光源制御部２２に撮影用光源の発光停止指令を出力し、撮影用光源の発光を停止する。Ｓ８において、Ａ／Ｄコンバータにより変換されたデジタル映像信号は画像記録手段２０に記録された後に、Ｓ９において眼底観察モードに戻るため、増幅率制御部１８の設定をＡＧＣにより設定し、Ｓ１に戻る。【選択図】        図２
2004159763.tif 000002
【特許請求の範囲】
【請求項１】
観察用照明光源と撮影用照明光源を有し被検眼へ観察用照明光と撮影用照明光を投影する照明光学系と、被検眼からの反射光を観察撮影光学系を介して被検眼像として撮像する撮像手段と、該撮像手段からの映像信号を増幅する増幅手段と、該増幅手段からの出力信号を被検眼画像として取り込み複数の動作モードを有する画像取込手段と、前記増幅手段の増幅率を制御する増幅率制御手段と、前記画像取込手段の動作モードを切換えるモード切換えスイッチと、該モード切換えスイッチが押されたことを検出してから前記撮影用光源を発光するまでの発光待機時間を決定する発光開始時間決定手段とを備え、前記増幅率制御手段は、前記撮像手段からの映像信号に応じて前記増幅率を変更する第１の増幅率設定モードと、前記増幅率を固定にする第２の増幅率設定モードとを有することを特徴とする眼科撮影装置。
【請求項２】
前記画像取込手段の出力を表示する表示手段と、前記画像取込手段の出力を記録する記録手段と、前記画像取込手段は、前記第１の増幅率設定モードで制御された前記増幅手段からの出力信号を連続して取り込み、前記観察用照明光源による被検眼画像を前記表示手段に連続して表示する動画観察モードと、前記第２の増幅率設定モードで制御された前記増幅手段からの出力信号を観察用照明光源又は前記撮影用照明光源と同期して取り込み、被検眼画像を静止画像として前記記録手段に記録する静止画記録モードとを有し、前記モード切換えスイッチが押されたことを検出して前記動画観察モードから静止画記録モードへ動作モードに変更し、前記発光開始時間設定手段に設定された発光待機時間に応じて前記撮影用光源を発光する請求項１に記載の眼科撮影装置。
【請求項３】
前記画像取込手段は、前記第１の増幅率設定モードで制御された前記増幅手段からの出力信号を連続して取り込み、前記観察用照明光源による被検眼画像を前記記録手段に記録する動画記録モードを有し、前記画像取込手段が前記動画記録モードに動作モードを切換えてから動画記録を開始するまでの記録待機時間を決定する動画記録開始決定手段を有し、前記画像取込手段は、前記モード切換えスイッチが押されたことを検出して前記動画観察モードから前記静止画記録モードに動作モードを変更し、前記発光開始時間決定手段で決定された発光待機時間に応じて前記撮影用光源を発光し、前記記録手段への被検眼画像の静止画記録が終了したことを検出して前記静止画記録モードから前記動画記録モードに動作モードを変更し、前記動画記録開始決定手段で決定された前記記録待機時間に応じて前記記録手段への被検眼画像の記録を開始することを特徴とする請求項１に記載の眼科撮影装置。
【請求項４】
前記増幅手段を介して前記観察用照明光源による被検眼画像を観測する観測手段を有し、該観測手段の出力結果を基に、前記発光開始時間決定手段は前記発光待機時間を決定することを特徴とする請求項３に記載の眼科撮影装置。
【請求項５】
前記増幅手段を介して前記観察用照明光源による被検眼画像を観測する観測手段を有し、該観測手段の出力結果を基に、前記動画記録開始決定手段は前記記録待機時間を決定することを特徴とする請求項３に記載の眼科撮影装置。
【請求項６】
前記撮像手段と前記増幅手段と前記増幅率制御手段を有する撮像ユニットを有し、該撮像ユニットは、複数の該撮像ユニットからの選択が可能で、選択された前記撮像ユニットによって、前記発光開始時間決定手段は前記発光待機時間を決定することを特徴とする請求項３に記載の眼科撮影装置。
【請求項７】
前記撮像手段と前記増幅手段と前記増幅率制御手段を有する撮像ユニットを有し、該撮像ユニットは、複数の撮像ユニットからの選択が可能で、選択された前記撮像ユニットによって、前記動画記録開始決定手段は前記動画記録待機時間を決定することを特徴とする請求項３に記載の眼科撮影装置。
【請求項８】
前記画像取込手段は前記動画観察モードの時の動画記録時間を設定する動画記録設定手段と、時間を計測するタイマ手段とを有し、前記画像取込手段が前記動画観察モードの場合に、前記モード切換えスイッチが押されたことを検出して、前記画像取込手段は前記動画記録モードに動作モードを切換え、前記タイマ手段の計時を開始し、前記画像取込手段が前期動画記録モードの場合に前記モード切換えスイッチが押されたことを検出して、前記画像取込手段は前記静止画記録モードに動作モードを切換え、前記タイマ手段の計時時間が前記動画記録時間設定手段に設定された動画記録時間に到達したことを検出して、前記画像取込手段は前記動画観察モードに動作モードを切換えることを特徴とする請求項３に記載の眼科撮影装置。
【請求項９】
前記照明光学系内にエキサイタフィルタ、前記観察撮影光学系内にバリアフィルタを有し、蛍光観察撮影が可能であることを特徴とする請求項１に記載の眼科撮影装置。
【請求項１０】
前記エキサイタフィルタ、バリアフィルタは、可視蛍光用であることを特徴とする請求項９に記載の眼科撮影装置。
【請求項１１】
前記エキサイタフィルタ、バリアフィルタは、赤外蛍光用であることを特徴とする請求項９に記載の眼科撮影装置。
【発明の詳細な説明】
【０００１】
【発明の属する技術分野】
本発明は、眼科診療所等で被検眼を撮影する眼科撮影装置に関するものである。
【０００２】
【従来の技術】
従来から、ＣＣＤに代表される撮像素子を用いて被検眼像を撮像して映像信号に変換し、被検眼の観察、撮影を行う眼科撮影装置が知られている。このような眼科撮影装置では、撮像素子からの出力信号を電気的に増幅し、常に被検眼像が最適な映像信号となるように制御している。
【０００３】
赤外蛍光撮影を行う際には、光学ファインダでは眼底観察できないため、観察用と撮影用の２種類のテレビカメラを用意し、別々のゲイン設定をして使用しているが、２台のテレビカメラを用いると装置が複雑となり、更にコストも高くなるという欠点がある。
【０００４】
この問題を解決するために、特開平９−２６２２１１号公報、特開平１０−２３４６７１号公報等において、１つの撮像素子を用いて被検眼の観察、撮影を行う眼科撮影装置が開示されている。
【０００５】
【発明が解決しようとする課題】
しかしながら、特開平９−２６２２１１号公報においてはゲイン設定に関する記載はなく、特開平１０−２３４６７１号公報においては撮影モードに応じて、ＮＤフィルタを変更することにより撮影光量を変更し、被検眼が最適な映像信号となるように制御している。
【０００６】
可視蛍光、赤外蛍光による観察時には、蛍光剤の循環具合によって被検眼の明るさが変化してしまう。特に、初期画像においてはその変化が著しいため、オートゲインコントロール（ＡＧＣ）を動作させることにより、被検眼の明るさ、観察光量が変化しても、被検眼像が常に最適な映像信号になるように制御することが望ましい。
【０００７】
一方、撮影を行う際の撮影用光源の発光時間は数ｍ秒と短いため、ＡＧＣを動作させても追従することはできない。従って、撮影の際には固定ゲインとして、被検眼の明るさに応じて撮影光量を調光した方が、被検眼像が最適な映像信号になる制御が可能である。
【０００８】
しかしながら、ＡＧＣから固定ゲインに変更する際に、ゲインが安定するまでには、所定の時間を要する。これは、例えば装置本体とテレビカメラユニットを組み合わせた場合に、ＡＧＣと固定ゲインの切換えをＲＳ−２３２Ｃ等の通信ポートを用いて制御していた場合の通信時間やゲイン回路の応答時間が原因となる。ゲインが完全に切換わっていない状態で撮影用光源を発光し撮影を行うと、飽和したり、暗かったりと最適な映像信号が得られない。
【０００９】
逆に、固定ゲインからＡＧＣによる設定に変更する場合おいても、ゲインが安定するまでには所定の時間を要する。この場合には、ＡＧＣから固定ゲインに変更する場合の時間遅れの要因に加えて、撮像した被検眼像の映像信号を基にゲインを決定するため、少なくとも１フレーム又は１フィールドの時間遅れが生じ、ゲインが収束するまでには更に時間を要する。ゲインが完全に切換わっていない状態で被検眼の動画記録を行うと、飽和したり暗かったりなど最適な映像信号が得られない。
【００１０】
本発明の目的は、上述の問題点を解消し、１台のテレビカメラで被検眼の観察、動画記録、静止画撮影の行うことができる眼科撮影装置を提供することにある。
【００１１】
【課題を解決するための手段】
上記目的を達成するための請求項１に係る本発明は、観察用照明光源と撮影用照明光源を有し被検眼へ観察用照明光と撮影用照明光を投影する照明光学系と、被検眼からの反射光を観察撮影光学系を介して被検眼像として撮像する撮像手段と、該撮像手段からの映像信号を増幅する増幅手段と、該増幅手段からの出力信号を被検眼画像として取り込み複数の動作モードを有する画像取込手段と、前記増幅手段の増幅率を制御する増幅率制御手段と、前記画像取込手段の動作モードを切換えるモード切換えスイッチと、該モード切換えスイッチが押されたことを検出してから前記撮影用光源を発光するまでの発光待機時間を決定する発光開始時間決定手段とを備え、前記増幅率制御手段は、前記撮像手段からの映像信号に応じて前記増幅率を変更する第１の増幅率設定モードと、前記増幅率を固定にする第２の増幅率設定モードとを有することを特徴とする眼科撮影装置である。
【００１２】
請求項２に係る本発明は、前記画像取込手段の出力を表示する表示手段と、前記画像取込手段の出力を記録する記録手段と、前記画像取込手段は、前記第１の増幅率設定モードで制御された前記増幅手段からの出力信号を連続して取り込み、前記観察用照明光源による被検眼画像を前記表示手段に連続して表示する動画観察モードと、前記第２の増幅率設定モードで制御された前記増幅手段からの出力信号を観察用照明光源又は前記撮影用照明光源と同期して取り込み、被検眼画像を静止画像として前記記録手段に記録する静止画記録モードとを有し、前記モード切換えスイッチが押されたことを検出して前記動画観察モードから静止画記録モードへ動作モードに変更し、前記発光開始時間設定手段に設定された発光待機時間に応じて前記撮影用光源を発光する請求項１に記載の眼科撮影装置である。
【００１３】
請求項３に係る本発明は、前記画像取込手段は、前記第１の増幅率設定モードで制御された前記増幅手段からの出力信号を連続して取り込み、前記観察用照明光源による被検眼画像を前記記録手段に記録する動画記録モードを有し、前記画像取込手段が前記動画記録モードに動作モードを切換えてから動画記録を開始するまでの記録待機時間を決定する動画記録開始決定手段を有し、前記画像取込手段は、前記モード切換えスイッチが押されたことを検出して前記動画観察モードから前記静止画記録モードに動作モードを変更し、前記発光開始時間決定手段で決定された発光待機時間に応じて前記撮影用光源を発光し、前記記録手段への被検眼画像の静止画記録が終了したことを検出して前記静止画記録モードから前記動画記録モードに動作モードを変更し、前記動画記録開始決定手段で決定された前記記録待機時間に応じて前記記録手段への被検眼画像の記録を開始することを特徴とする請求項１に記載の眼科撮影装置である。
【００１４】
請求項４に係る本発明は、前記増幅手段を介して前記観察用照明光源による被検眼画像を観測する観測手段を有し、該観測手段の出力結果を基に、前記発光開始時間決定手段は前記発光待機時間を決定することを特徴とする請求項３に記載の眼科撮影装置である。
【００１５】
請求項５に係る本発明は、前記増幅手段を介して前記観察用照明光源による被検眼画像を観測する観測手段を有し、該観測手段の出力結果を基に、前記動画記録開始決定手段は前記記録待機時間を決定することを特徴とする請求項３に記載の眼科撮影装置である。
【００１６】
請求項６に係る本発明は、前記撮像手段と前記増幅手段と前記増幅率制御手段を有する撮像ユニットを有し、該撮像ユニットは、複数の該撮像ユニットからの選択が可能で、選択された前記撮像ユニットによって、前記発光開始時間決定手段は前記発光待機時間を決定することを特徴とする請求項３に記載の眼科撮影装置である。
【００１７】
請求項７に係る本発明は、前記撮像手段と前記増幅手段と前記増幅率制御手段を有する撮像ユニットを有し、該撮像ユニットは、複数の撮像ユニットからの選択が可能で、選択された前記撮像ユニットによって、前記動画記録開始決定手段は前記動画記録待機時間を決定することを特徴とする請求項３に記載の眼科撮影装置である。
【００１８】
請求項８に係る本発明は、前記画像取込手段は前記動画観察モードの時の動画記録時間を設定する動画記録設定手段と、時間を計測するタイマ手段とを有し、前記画像取込手段が前記動画観察モードの場合に、前記モード切換えスイッチが押されたことを検出して、前記画像取込手段は前記動画記録モードに動作モードを切換え、前記タイマ手段の計時を開始し、前記画像取込手段が前期動画記録モードの場合に前記モード切換えスイッチが押されたことを検出して、前記画像取込手段は前記静止画記録モードに動作モードを切換え、前記タイマ手段の計時時間が前記動画記録時間設定手段に設定された動画記録時間に到達したことを検出して、前記画像取込手段は前記動画観察モードに動作モードを切換えることを特徴とする請求項３に記載の眼科撮影装置である。
【００１９】
請求項９に係る本発明は、前記照明光学系内にエキサイタフィルタ、前記観察撮影光学系内にバリアフィルタを有し、蛍光観察撮影が可能であることを特徴とする請求項１に記載の眼科撮影装置である。
【００２０】
請求項１０に係る本発明は、前記エキサイタフィルタ、バリアフィルタは、可視蛍光用であることを特徴とする請求項９に記載の眼科撮影装置である。
【００２１】
請求項１１に係る本発明は、前記エキサイタフィルタ、バリアフィルタは、赤外蛍光用であることを特徴とする請求項９に記載の眼科撮影装置である。
【００２２】
【発明の実施の形態】
本発明を図示の実施の形態に基づいて詳細に説明する。
図１は第１の実施の形態における眼底カメラの構成図を示し、観察用光源１から被検眼Ｅに至る眼底照明光学系の光路上には、コンデンサレンズ２、撮影用光源３、ミラー４、リング状の開口を有する絞り５、光路に挿脱自在に配置された赤外蛍光エキサイタフィルタ６、リレーレンズ７、孔あきミラー８、対物レンズ９が順次に配列されている。また、孔あきミラー８の後方の眼底撮影光学系には、合焦レンズ１０、撮影レンズ１１、励起光を遮断し蛍光のみを透過し光路に挿脱自在の赤外蛍光バリアフィルタ１２、撮像素子１３が順次に配列されている。
【００２３】
また、撮像素子１３の出力は蓄積電荷読取部１４、増幅部１５、画像信号処理部１６を介してシステム制御部１７に接続されている。また、蓄積電荷読取部１４の出力は直接にシステム制御部１７に接続され、増幅部１５の出力は増幅率制御部１８を介してシステム制御部１７に接続されている。更に、画像信号処理部１６の出力は表示部１９に接続されている。
【００２４】
更に、システム制御部１７には、ハードディスク、ＭＯ、Ｚｉｐ、Ｊａｚｚ、ＣＤ−Ｒ／ＲＷ、ＤＶＤ−ＲＡＭ、ＤＶＤ−Ｒ／ＲＷ、半導体メモリ等から成る画像記録手段２０、撮影スイッチ２１、撮影用光源３を制御する撮影用光源制御部２２が接続されている。
【００２５】
観察用光源１を出射した光束は、コンデンサレンズ２、撮影用光源３を通過し、ミラー４で反射される。このミラー４での反射光は、リング状の開口を有する絞り５、赤外蛍光エキサイタフィルタ６、リレーレンズ７を通過し、孔あきミラー８の周辺部で反射し、対物レンズ９、被検眼Ｅの瞳孔Ｅｐを通過し眼底Ｅｒを照明する。照明された眼底像は、再度、被検眼Ｅの瞳孔Ｅｐ、対物レンズ９、孔あきミラー８の孔部、合焦レンズ１０、撮影レンズ１１、赤外蛍光バリアフィルタ１２を通過し、撮像素子１３上に結像する。
【００２６】
蓄積電荷読取部１４は撮像素子１３において光電変換され蓄積された蓄積電荷の読み取り、及び保持された電荷のクリアを連続的に行いながら、読み取った信号を増幅部１５を介して画像信号処理部１６に出力する。画像信号処理部１６は表示部１９に出力可能な処理を行い、その観察画像を表示部１９に表示する。
【００２７】
この際に、システム制御部１７は被検眼Ｅの眼底Ｅｒの明るさが変化した場合においても、観察用光源１の光量をその都度、再設定しなくても適正な眼底観察が行えるように、増幅率制御部１８をＡＧＣ制御により設定している。
【００２８】
図２は撮影時のシステム制御部１７の動作のフローチャート図を示し、操作者は表示部１９の映像を観察しながらアライメント操作を行い、先ずステップＳ１においてアライメントが一致したところで撮影スイッチ２１を押すと、システム制御部１７は撮影スイッチ２１の入力を検知し、ステップＳ２において観察用光源１を消灯し、ステップＳ３において増幅率制御部１８の設定をＡＧＣから固定ゲインに設定する。
【００２９】
続いて、ステップＳ４において１フレーム待機する。この待機時間は、図３に示す発光待機時間である。この１フレームの発光待機時間は増幅率制御部１８の設定を変更し、増幅部１５のゲインが安定するまでの時間である。しかしながら、この発光待機時間が長すぎると、被検眼Ｅの瞬きの影響を受け易いため、長くても４フレーム程度が望ましい。また、単位をフレームとしたのは、蓄積電荷読取部１４がフレーム読み出しを行っているためであり、フィールド読み出しの場合は、１〜８フィールドとしてもよい。
【００３０】
続いてステップＳ５において、システム制御部１７は図３に示すような垂直同期信号に同期して撮影用光源制御部２２に発光開始指令を出力し、撮影用光源３を発光する。撮影用光源３を出射した光束は撮像素子１３に被検眼Ｅの眼底像として投影され、撮像素子１３は光電変換後の電荷の蓄積、保持を行う。また、システム制御部１７は撮影用光源３が発光した信号を蓄積電荷読取部１４に送信し、蓄積電荷読取部１４は蓄積電荷の読み取りを開始する。
【００３１】
更に、ステップＳ６においては、撮影用光源３の光量が適正光量に達したか否かを判断し、適正光量に達するとステップＳ７に進み、撮影用光源制御部２２に撮影用光源３の発光停止指令を出力し、撮影用光源３の発光を停止する。蓄積電化読取部１４により読み取られた映像信号は増幅部１５において増幅され、画像信号処理部１６を介して図示しないＡ／Ｄコンバータによりデジタル信号に変換された後に、システム制御部１７に入力される。
【００３２】
ステップＳ８において、Ａ／Ｄコンバータにより変換されたデジタル映像信号は画像記録手段２０に記録された後に、ステップＳ９において眼底観察モードに戻るため、増幅率制御部１８の設定をＡＧＣにより設定し、ステップＳ１に戻る。
【００３３】
本実施の形態においては、ステップＳ３において増幅率制御部１８の設定を固定ゲインに設定した後に、増幅部１４のゲインが安定するまで、ステップＳ４において１フレーム待機するように制御しているが、システム制御部１７は画像信号処理部１６から入力される映像信号を監視し、増幅率制御部１８の設定がＡＧＣから固定ゲインに切換わったことを検出してから、垂直同期信号に同期して撮影用光源制御部２２に発光開始指令を出力し、撮影用光源３を発光するようにしてもよい。
【００３４】
図４は第２の実施の形態における眼底カメラの構成図を示し、第１の実施の形態と同一の部材には同一の符号を付しており、本実施の形態においては、システム制御部１７に動画記録時間設定部３１、タイマスイッチ３２が接続されている。
【００３５】
図５は本実施の形態におけるシステム制御部１７の動作のフローチャート図を示し、眼底カメラは初期設定として、眼底観察モードに設定されているため、先ずステップＳ１１において、増幅率制御部１８の設定をＡＧＣにより行うことによって、被検眼眼底Ｅｒの明るさが変化した場合においても、観察用光源１の光量をその都度、再設定しなくても適正な眼底観察が行うことができる。
【００３６】
続いて、ステップＳ１２において、動画記録時間設定部３１からの入力の有無を判断し、入力有りの場合にはステップＳ１３に進み、動画記録モードにおける動画記録時間の設定を行った後に、ステップＳ１４に進む。ステップＳ１２において、動画記録時間設定部３１からの入力がない場合には、デフォルトの設定値に設定され、ステップＳ１４に進む。なお、本実施の形態におけるデフォルトの動画記録時間は５分に設定されている。
【００３７】
ステップＳ１４においては、タイマスイッチ３２からの入力の有無を判断し、入力無しの場合には再びステップＳ１２に戻り、入力有りの場合にはステップＳ１５に進み、システム制御部１７内の図示しないタイマ手段を動作させる。ここでのタイマ手段は可視、赤外蛍光撮影を行う際に、静注開始からの時間を計測するためのタイマであり、このタイマの計時の開始から終了までで、１人の患者を観察、撮影していると判断している。
【００３８】
続いて、ステップＳ１６において、撮影スイッチ２１の入力を判断し、撮影スイッチ２１の入力を検知した場合にはステップＳ１７に進み、動画記録モードに移り、画像記録手段２０への動画像データの格納を開始する。この際の動画記録は、ＭＰＥＧ等のデータ圧縮処理でデータ量を小さくすることも可能である。なお、動画記録モード時の増幅率制御部１８の設定はＡＧＣにより行う。
【００３９】
続いて、ステップＳ１８において、操作者は動画記録が開始された後に、表示部１９の映像を観察しながらアライメントを行い、アライメントが一致したところで再度撮影スイッチ２１を押すとステップＳ１９に進み、システム制御部１７は観察用光源１を消灯し、更にステップＳ２０において、動画像データを画像記録手段２０に格納することを停止する。更に、ステップＳ２１において、増幅率制御部１８の設定を固定ゲインにした後に、ステップＳ２２において１フレーム待機する。この待機時間は図３に示す発光待機時間である。
【００４０】
続いて、ステップＳ２３において、システム制御部１７は図３に示すように、垂直同期信号に同期して撮影用光源制御部２２に発光開始指令を出力し、撮影用光源３を発光する。撮影用光源３を出射した光束は、被検眼Ｅの眼底Ｅｒで反射され、眼底像として撮像素子１３に投影され、撮像素子１３は光電変換後の電荷の蓄積、保持を行う。システム制御部１７は撮影用光源３を発光したことを蓄積電荷読取部１４に送信し、蓄積電荷読取部１４は蓄積電荷の読み取りを開始する。
【００４１】
そして、ステップＳ２４において、適正光量に達したか否かを判断し、適正光量に達するとステップＳ２５に進み、撮影用光源制御部２２に発光停止指令を出力し、撮影用光源３の発光を停止する。読み取られた映像信号は増幅部１５において増幅され、画像信号処理部１６を介してＡ／Ｄコンバータによりデジタル信号に変換され、システム制御部１７に入力された後に、ステップＳ２６において、ステップＳ２５において変換されたデジタル映像信号を画像記録手段２０に記録した後に、ステップＳ２７において増幅率制御部１８の設定をＡＧＣに戻す。
【００４２】
続いて、ステップＳ２８において２フレーム待機する。この待機時間は、図３に示す動画記録待機時間である。その後、ステップＳ２９において、動画像データの画像記録手段２０への格納を再開し、動画記録モードへ移る。ステップＳ２８における２フレームの動画記録待機時間は、増幅率制御部１８の設定を変更し、増幅部１４のゲインが安定するまでの時間及びシステム制御部１７に入力された映像信号からゲインを決定するまでの時間である。ステップＳ２８で動画記録待機時間である２フレームの間、待機することにより、誤ったゲインで増幅された映像信号を動画像として、画像記録手段２０に記録することを防止できる。
【００４３】
このようにして、静止画撮影が終了した場合又はステップＳ１８において、撮影スイッチ２１の入力が無い場合には、ステップＳ３０において動画記録を終了するか否かを判断する。ステップＳ１３で設定又はデフォルトの動画記録時間に到達したか否かを判断し、到達していない場合にはステップＳ１８に戻り、撮影スイッチ２１の入力をチェックする。到達した場合にはステップＳ３１において、動画像データを画像記録手段２０への格納を終了し、動画記録モードから眼底観察モードに移る。
【００４４】
更に、ステップＳ３２において、タイマスイッチ３２からタイマ停止の入力があるか否かを判断し、入力がない場合にはステップＳ１８に戻り、撮影スイッチ２１の入力をチェックする。タイマスイッチ３２からタイマ停止の入力がある場合には、ステップＳ３３においてシステム制御部１７内のタイマ手段を停止し、これをもって１人の患者の撮影が終了する。そして、ステップＳ１２に戻り、再び動画記録時間設定部３１からの入力をチェックする。
【００４５】
図６は第３の実施の形態における眼底カメラの構成図を示し、眼底撮影光学系の結像位置には、撮像素子１３、蓄積電荷読取部１４、増幅部１５、増幅率制御部１８、画像信号処理部１６から構成されるテレビカメラユニットＡが配置されており、テレビカメラユニットＡには、システム制御部１７、表示部１９が接続されている。そして、テレビカメラユニットＡはテレビカメラユニットＢ又はテレビカメラユニットＣと交換可能な構成とされている。また、システム制御部１７には、撮影用光源３の発光待機時間設定手段４１が接続されている。
【００４６】
図７はテレビカメラユニットが交換された場合のシステム制御部１７の動作を示すフローチャート図を示し、先ずステップＳ４１において、テレビカメラユニットが交換されたか否かを判断し、交換されたと判断した場合には、ステップＳ４２、Ｓ４３、Ｓ４４においてテレビカメラユニットＡ〜Ｃの何れかを判断し、ステップＳ４５、Ｓ４６、Ｓ４７で各テレビカメラユニットに対応した撮影光源発光待機時間を設定する。
【００４７】
撮影光源発光待機時間は第１の実施の形態では図２に示すステップＳ４、第２の実施の形態においては図４に示すステップＳ２２で１フレームに設定されているが、テレビカメラユニットの種類、ロットによって、ＡＧＣから固定ゲインに切換えた際のゲインの安定時間が異なるため、個別に設定可能としている。
【００４８】
撮影用光源３の発光待機時間の設定は、テレビカメラユニット毎にパラメータとして有しており、テレビカメラユニットの取付時に、例えばＲＳ−２３２Ｃのような通信手段を用いてシステム制御部１７に設定してもよい。また、撮影用光源３の発光待機時間設定手段４１からテレビカメラユニット毎に設定することも可能である。
【００４９】
【発明の効果】
以上説明したように本発明に係る眼科撮影装置は、次に列挙する利点を有している。
【００５０】
（１）被検眼観察時に、撮影スイッチが押されたことを検出して、撮影を行う際に、所定時間経過後に撮影用光源を発光し、この所定時間はゲインがＡＧＣから固定ゲインに完全に切換わる時間であり、被検眼の瞬きの影響を受けない時間であって、被検眼を適正光量、適正ゲインで撮影が可能である。
【００５１】
（２）被検眼観察時に撮影スイッチが押されたことを検出して、撮影を行う際に、ゲインがＡＧＣから固定ゲインに完全に切換わったことを、観察用照明光源によって照射された被検眼画像を観測することにより確認し、被検眼を適正光量、適正ゲインで撮影が可能である。
【００５２】
（３）観察用照明光源によって照射された被検眼画像を動画記録し、撮影スイッチが押されたことを検出して、撮影を行う際に所定時間経過後に撮影用光源を発光し、この所定時間はゲインがＡＧＣから固定ゲインに完全に切換わる時間であり、被検眼を適正光量、適正ゲインで動画、静止画両方の撮影が可能である。
【００５３】
（４）被検眼画像の静止画記録が終了したことを検出し、所定時間経過後に、動画記録を再開するため、ゲインを固定ゲインからＡＧＣに切換える際にＡＧＣが安定するまでの適正光量、適正ゲインでない被検眼の動画画像を記録しないで済み、更には動画像のファイルサイズを小さくすることができる。
【００５４】
（５）撮像手段と増幅手段と増幅率制御手段を有するテレビカメラユニットを装着可能で、装着されたテレビカメラユニットによって、撮影用光源を発光するまでの所定時間、動画記録又は観察モードを切換え可能であるため、観察モードの場合に、撮影スイッチが押されたのを検出して、動画記録モードとなり、予め設定された時間だけ動画記録を行い、動画記録モードのに場合に撮影スイッチが押されたことを検出して、撮影用光源を発光して静止画記録モードを行い、撮影スイッチで動画記録、静止画記録が行えるので操作が簡単になり、スイッチが１つで済むため安価に装置を構成できる。
【００５５】
（６）照明光学系内に可視又は赤外蛍光用エキサイタフィルタ、観察撮影光学系内に可視又は赤外蛍光用バリアフィルタを有し、可視又は赤外蛍光観察撮影が可能となり眼科撮影装置に応用した場合に、特に蛍光初期で被検眼の明るさが激しく変化する場合でも、観察、動画記録、静止画記録を、適正なゲイン、適正な光量で行うことが可能で、常に適正な被検眼画像を得ることができる。
【図面の簡単な説明】
【図１】第１の実施の形態における構成図である。
【図２】システム制御部の動作を示すフローチャート図である。
【図３】タイムチャート図である。
【図４】第２の実施の形態における構成図である。
【図５】システム制御部の動作を示すフローチャート図である。
【図６】第３の実施の形態における構成図である。
【図７】システム制御部の動作を示すフローチャート図である。
【符号の説明】
１  観察用光源
３  撮影用光源
５  絞り
６  赤外蛍光エキサイタフィルタ
８  孔あきミラー
９  対物レンズ
１０  合焦レンズ
１１  撮影レンズ
１２  赤外蛍光バリアフィルタ
１３  撮像素子
１４  蓄積電荷読取部
１５  増幅部
１６  画像信号処理部
１７  システム制御部
１８  増幅率制御部
１９  表示部
２０  画像記録手段
２１  撮影スイッチ
２２  撮影用光源制御部
３１  動画記録時間設定部
３２  タイマスイッチ
４１  撮影光源発光待機時間設定手段
【図１】
2004159763.tif 000003
【図２】
2004159763.tif 000004
【図３】
2004159763.tif 000005
【図４】
2004159763.tif 000006
【図５】
2004159763.tif 000007
【図６】
2004159763.tif 000008
【図７】
2004159763.tif 000009